【手続補正書】
【提出日】平成16年8月26日(2004.8.26)
【手続補正１】
【補正対象書類名】明細書
【補正対象項目名】特許請求の範囲
【補正方法】変更
【補正の内容】
【特許請求の範囲】
【請求項１】
補正レンズを光軸に対して垂直面内で互いに直交する２方向に移動制御することにより像ぶれを補正する像ぶれ補正装置において、
少なくとも２つのマグネットを有する固定枠と、
前記補正レンズと、前記マグネットに対向する位置に設けられた少なくとも２つのコイルパターンと、前記補正レンズの位置を検出する位置検出センサとを有し、前記固定枠に相対的に前記２方向に移動自在な移動枠とを備え、
前記コイルパターンと前記位置検出センサへの配線を、前記移動枠から前記固定枠に引き出すフレキシブルプリント板を設けた
ことを特徴とする像ぶれ補正装置。
【請求項２】
前記移動枠は、積層基板を有し、
前記コイルパターンと、位置検出センサは、前記積層基板に構成されていることを特徴とする請求項１記載の像ぶれ補正装置。
【請求項３】
積層基板に形成された位置決め穴に、位置検出センサを嵌合して位置規制するとともに、積層基板に取付けられたフレキシブルプリント板と前記位置検出センサの端子とを接続した
ことを特徴とする請求項２記載の像ぶれ補正装置。
【請求項４】
積層基板の位置検出センサ取付け領域の積層数を、他の部分よりも少なくして、積層基板の厚み内に位置検出センサを収容するように構成した
ことを特徴とする請求項２または３記載の像ぶれ補正装置。
【請求項５】
積層基板およびフレキシブルプリント板に、積層基板上のコイルパターンおよび位置検出センサからフレキシブルプリント板への結線部を一カ所に集中させる集中ランド部をそれぞれ設けた
ことを特徴とする請求項２乃至４のいずれかに記載の像ぶれ補正装置。
【請求項６】
移動枠の本体に、または本体に取付けられた基盤に、コイル配設部位に対応して切欠き部を形成し、
この切欠き部にコイルパターンを形成した積層基板を取付け、
移動枠の本体にまたは本体に取付けられた基盤に、位置決め穴を介して位置検出センサを取付けた
ことを特徴とする請求項１記載の像ぶれ補正装置。
【請求項７】
固定枠に、マグネットに当接して固定枠にマグネットを位置決めする位置決め部を設けた
ことを特徴とする請求項１乃至６のいずれかに記載の像ぶれ補正装置。
【手続補正２】
【補正対象書類名】明細書
【補正対象項目名】０００３
【補正方法】変更
【補正の内容】
【０００３】
従来、像ぶれ補正装置として開示されたたとえば特開平９−２６９５２０公報には、図１０に示すように、ぶれ補正用の第２レンズ群１０１がレンズ枠１０２に保持されており、このレンズ保持枠１０２はガイド軸１０３を介して固定ベース１０５にピッチング方向及びヨーイング方向に移動自在に支持されている。またレンズ枠１０２には、レンズ枠１０２をピッチング方向、ヨーイング方向にそれぞれ駆動するための巻線コイル１０４ａ，１０４ｂが設けられており、それぞれのコイル１０４ａ，１０４ｂと対向して固定ベース１０５にはマグネット１０６ａ，１０６ｂが設けられている。また固定ベース１０５に固定されたセンサ基板１０７には、第２レンズ群１０１のぶれ量を検出する角速度センサ１０８ａ，１０８ｂが配置されており、この角速度センサ１０８ａ，１０８ｂの検出信号に応じてコイル１０４ａ,１０４ｂに通電することにより、レンズ保持枠１０２にピッチング方向、ヨーイング方向の駆動力を発生させ、第２レンズ群１０１をピッチング方向、ヨーイング方向に駆動して像ぶれ補正を行うように構成されている。
【手続補正３】
【補正対象書類名】明細書
【補正対象項目名】０００４
【補正方法】変更
【補正の内容】
【０００４】
可動側のレンズ枠１０２のコイル１０４ａ,１０４ｂに接続された端子線１１２ａ，１１２ｂは、固定側のセンサ基板１０７に半田接続されている。また、センサ基板１０７には、レンズ枠１０２の位置を検出するための２次元位置センサ１０９設けられており、それと対向するレンズ枠１０２にＬＥＤ１１０が設けられている。このＬＥＤ１１０は、給電用の接続ケーブル１１１によりセンサ基板１０７と半田接続され、所要の電力供給を行なうように構成されている。
【手続補正４】
【補正対象書類名】明細書
【補正対象項目名】０００７
【補正方法】変更
【補正の内容】
【０００７】
【課題を解決するための手段】
請求項１記載の像ぶれ補正装置は、補正レンズを光軸に対して垂直面内で互いに直交する２方向に移動制御することにより像ぶれを補正する像ぶれ補正装置において、少なくとも２つのマグネットを有する固定枠と、前記補正レンズと、前記マグネットに対向する位置に設けられた少なくとも２つのコイルパターンと、前記補正レンズの位置を検出する位置検出センサとを有し、前記固定枠に相対的に前記２方向に移動自在な移動枠とを備え、前記コイルパターンと前記位置検出センサへの配線を、前記移動枠から前記固定枠に引き出すフレキシブルプリント板を設けたものである。
【手続補正５】
【補正対象書類名】明細書
【補正対象項目名】０００８
【補正方法】変更
【補正の内容】
【０００８】
上記構成によれば、可動側の固定枠の積層基板に設けられたコイルパターンへの電源供給と位置検出センサへの電気信号の送受とを、フレキシブルプリント板を介して固定枠側に接続するので、半田による端子線の接続作業も不要で、容易に接続することができ、また断線なども極めて少なく信頼性を高めることができる。
【手続補正６】
【補正対象書類名】明細書
【補正対象項目名】０００９
【補正方法】変更
【補正の内容】
【０００９】
請求項２記載の像ぶれ補正装置は、請求項１記載の構成において、前記移動枠は、積層基板を有し、前記コイルパターンと、位置検出センサは、前記積層基板に構成されているものである。
上記構成によれば、積層した積層基板にコイルパターンを成形したので、巻き線コイルの場合と比較して、接着等による移動枠への取り付け工数を削減できる。また位置検出センサを積層基板に一体的に取り付けることで、小型化を図ることができる。
請求項３記載の像ぶれ補正装置は、請求項２記載の構成において、積層基板に形成された位置決め穴に、位置検出センサを嵌合して位置規制するとともに、積層基板に取付けられたフレキシブルプリント板と前記位置検出センサの端子とを接続したものである。
【手続補正７】
【補正対象書類名】明細書
【補正対象項目名】００１１
【補正方法】変更
【補正の内容】
【００１１】
請求項４記載の像ぶれ補正装置は、請求項２または３記載の構成において、積層基板の位置検出センサ取付け領域の積層数を、他の部分よりも少なくして、積層基板の厚み内に位置検出センサを収容するように構成したものである。
【手続補正８】
【補正対象書類名】明細書
【補正対象項目名】００１３
【補正方法】変更
【補正の内容】
【００１３】
請求項５記載の像ぶれ補正装置は、請求項２乃至４のいずれかに記載の構成において、積層基板およびフレキシブルプリント板に、積層基板上のコイルパターンおよび位置検出センサからフレキシブルプリント板への結線部を一カ所に集中させる集中ランド部をそれぞれ設けたものである。
【手続補正９】
【補正対象書類名】明細書
【補正対象項目名】００１４
【補正方法】変更
【補正の内容】
【００１４】
請求項６記載の像ぶれ補正装置は、請求項１記載の構成において、移動枠の本体に、または本体に取付けられた基盤に、コイル配設部位に対応して切欠き部を形成し、この切欠き部にコイルパターンを形成した積層基板を取付け、移動枠の本体にまたは本体に取付けられた基盤に、位置決め穴を介して位置検出センサを取付けたものである。
【手続補正１０】
【補正対象書類名】明細書
【補正対象項目名】００１７
【補正方法】変更
【補正の内容】
【００１７】
請求項７記載の像ぶれ補正装置は、請求項１乃至６の何れかに記載の構成において、固定枠に、マグネットに当接して固定枠にマグネットを位置決めする位置決め部を設けたものである。
【手続補正１１】
【補正対象書類名】明細書
【補正対象項目名】００４３
【補正方法】変更
【補正の内容】
【００４３】
【発明の効果】
以上に述べたごとく、本発明に係る請求項１記載の像ぶれ補正装置によれば、可動側の固定枠の積層基板に設けられたコイルパターンへの電源供給と位置検出センサへの電気信号の送受とを、フレキシブルプリント板を介して固定枠側に接続するので、半田による端子線の接続作業も不要で、容易に接続することができ、また断線なども極めて少なく信頼性を高めることができる。
請求項２記載の発明によれば、積層した積層基板にコイルパターンを成形したので、巻き線コイルの場合と比較して、接着等による移動枠への取り付け工数を削減できる。また位置検出センサを積層基板に一体的に取り付けることで、小型化を図ることができる。
【手続補正１２】
【補正対象書類名】明細書
【補正対象項目名】００４４
【補正方法】変更
【補正の内容】
【００４４】
請求項３記載の発明によれば、位置検出センサを位置決め穴に嵌合して積層基板に位置規制し取付けるので、積層基板の基準位置に位置検出センサを高精度で取り付けることができ、移動枠の位置検出精度を向上させることができる。また、位置検出センサへの結線をフレキシブルプリント板のランド部に直接行うことにより、配線の結線作業および引き回しを容易にすることができ、組立性を向上することができる。
【手続補正１３】
【補正対象書類名】明細書
【補正対象項目名】００４５
【補正方法】変更
【補正の内容】
【００４５】
請求項４記載の発明によれば、積層基板に位置検出センサを固定する領域の積層数を他の部分よりも少なくして、積層基板の厚み内に位置検出センサを収容するように構成したので、マグネットとコイルパターンからなるアクチュエータの薄型化を図ることができるとともに、マグネットとコイルパターンの間隔を小さくすることができ、駆動特性を向上させることができる。
【手続補正１４】
【補正対象書類名】明細書
【補正対象項目名】００４６
【補正方法】変更
【補正の内容】
【００４６】
請求項５記載の発明によれば、積層基板とフレキシブルプリント板に形成された集中ランド部を介して結線部を一カ所に集結させたので、積層基板とフレキシブルプリント板の半田付けによる結線作業を低減することができる。また、コイルパターンおよび位置検出センサから集中ランド部までの配線は積層基板のパターンを使用するので、積層基板に取付けるフレキシブルプリント板の面積を削減することができる。
【手続補正１５】
【補正対象書類名】明細書
【補正対象項目名】００４７
【補正方法】変更
【補正の内容】
【００４７】
請求項６記載の構成によれば、積層基板はコイルパターンを形成した部分のみでよいので、積層基板の面積を小さくでき、積層基板の取り数を増加できて低コスト化を図ることができる。
【手続補正１６】
【補正対象書類名】明細書
【補正対象項目名】００４８
【補正方法】変更
【補正の内容】
【００４８】
請求項７記載のによれば、固定枠に対するマグネットの位置決めを高精度に行うことができ、第１移動枠の位置検出センサとの相対位置を高精度に位置決めできて、第１移動枠の補正レンズの位置精度を高精度に検出することができる。